(57)【要約】【課題】  パレットの上板の交換が便利であり、製品の重量が軽くて運びが容易でありながら、大量生産が可能で製作費用の安いペーパー上板を持つ鉄製パレットを提供する【解決手段】  本考案によるペーパー上板を持つ鉄製パレットは、段ボール紙が多数積層されたペーパー上板と、前記ペーパー上板を下部で支持し、多数の第１の横部材及び第１の縦部材が行と列で成り立った上部鉄製支持板と、前記鉄製支持板の底面に接合される多数の四角形の鉄製柱部材と、前記多数の柱部材の底面に接合され、多数の第２の横部材及び第２の縦部材が行と列で成り立った下部鉄製支持板とで構成されことを特徴とする。【選択図】  図２
0003116917.tif 000002
【実用新案登録請求の範囲】
【請求項１】
段ボール紙が多数積層されたペーパー上板と、
前記ペーパー上板を下部で支持し、多数の第１の横部材及び第１の縦部材が行と列で成り立った上部鉄製支持板と、
前記鉄製支持板の底面に接合される多数の四角形の鉄製柱部材と、
前記多数の柱部材の底面に接合され、多数の第２の横部材及び第２の縦部材が行と列で成り立った下部鉄製支持板と、
から構成されことを特徴とするペーパー上板を持つ鉄製パレット。
【請求項２】
前記ペーパー上板は段ボール紙上板、ハニカム（Ｈｏｎｅｙ  ｃｏｍｂ）板及び段ボール紙下板が順に積層形成されることを特徴とする請求項１に記載のペーパー上板を持つ鉄製パレット。  
【請求項３】
前記段ボール紙上板及び下板は両面段ボール紙に単面段ボール紙を付けた２重の両面段ボール紙であることを特徴とする請求項２に記載のペーパー上板を持つ鉄製パレット。
【考案の詳細な説明】
【技術分野】
【０００１】
本考案はペーパー上板を持つ鉄製パレットに関するものであり、より詳細には鉄製パレットの上板を段ボール紙上板、  ハニカム（Ｈｏｎｅｙ  ｃｏｍｂ）板及び段ボール紙下板の３段構造のペーパー上板で形成することによって、パレットの上板の交換が便利であり、製品の重量が軽くて運びが容易でありながら、大量生産が可能で製作費用が安いペーパー上板を持つ鉄製パレットに関するものである。
【背景技術】
【０００２】
一般的に、パレット（Ｐａｌｌｅｔ）は工場内で生産ラインと倉庫間の移動時または生産ライン間での短距離移動時などの荷物の積載、一時保管などのために荷物の下部を支える手段として多く使用されている。
【０００３】
このようなパレットは最近の荷物の輸送である鉄道、貨物車、  コンテナなどの間で互換性を有することによって迅速な貨物の輸送が可能になるものである。しかし、現実的には多種のパレットが存在するために、このような輸送媒体間で互換性を維持することが困難である。従って、一部企業では、自社内でだけ使うパレットと、外部への輸送時使用する使い捨てパレットを使い分けることを行っており、パレット使用の複雑さが問題となっている。最近ではパレット標準化のための広報と普及拡大のための支援が行われ、企業自体もオンシーズン（盛需期）、オフシーズンなどのパレット所要量の差による非效率性を減らし、これによる空パレットの保有量を減らすためのさまざまな手段を講じている。
【０００４】
現在、使われているパレットの材質は大きく分けて木材、プラスチック、鉄、紙類の４種に区分することができ、規格でもこのように、区分して規定されている。しかし、実際に使われているパレットの材質は大部分が木材とプラスチックであり、鉄製パレットの利用は極めて少ないのが実情である。
【０００５】
しかし、木製パレットは構造強度が脆弱で、積載物の重量が過大な場合、こわれ易い短所がある。また、プラスチックパレットは製作に大きな金型を必要とし、コストが高く、強度も充分ではないという問題点がある。
これを補うために一定の幅で、凹凸状に折曲した板金を多数のビーム（Ｂｅａｍ）で支持し、これを上下部で溶接またはボルトで締結する構造の鉄製パレットが提案されている。一方では環境にやさしいものとして使用済みの各種段ボール紙などをリサイクルで再活用する軽量化紙製パレットが提案されている。
しかし、従来の鉄製パレットは紙製パレットに比べてその軽量化に限界があり、また、紙製パレットは湿気に弱く、強度にも限界がある。
【特許文献１】特開２００３−６３５３２号公報
【考案の開示】
【考案が解決しようとする課題】
【０００６】
本考案の目的は鉄製パレットの上板のみを３段構造に積層した段ボール紙を利用することによって、パレット上板の交換（リサイクル）が可能でありながらも製品の重量が軽く、取り扱いが容易なペーパー上板を持つ鉄製パレットの提供にある。
本考案の他の目的は耐久性に優れ、衛生的な環境管理が可能なペーパー上板を持つ鉄製パレットの提供にある。
本考案のまた他の目的は、品質が均一で、リサイクルができ、量産が可能で、製造コストの安い、ペーパー上板を持つ鉄製パレットの提供にある。
【課題を解決するための手段】
【０００７】
本考案によるペーパー上板を持つ鉄製パレットは、段ボール紙が多数積層されたペーパー上板と、前記ペーパー上板を下部で支持し、多数の第１の横部材及び第１の縦部材が行と列で成り立った上部鉄製支持板と、前記鉄製支持板の底面に接合される多数の四角形の鉄製柱部材と、前記多数の柱部材の底面に接合され、多数の第２の横部材及び第２の縦部材が行と列で成り立った下部鉄製支持板とで構成されことを特徴とする。
【０００８】
ここで、前記ペーパー上板は段ボール紙上板、ハニカム（Ｈｏｎｅｙ  ｃｏｍｂ）板及び段ボール紙下板が順に積層形成されることを特徴とし、
前記段ボール紙上板及び下板は両面段ボール紙に単面段ボール紙を付けた２重の両面段ボール紙であることを特徴とする。  
【考案を実施するための最良の形態】
【０００９】
以下に図面を参照しながら本考案の詳細内容を説明する。
【実施例】
【００１０】
図１は本考案によるペーパー上板を持つ鉄製パレットの全体斜視図であり、図２は本考案によるペーパー上板の分解斜視図であり、図３は本考案によるペーパー上板の結合図である。
本考案によるペーパー上板１０を具備した鉄製パレット１はそのペーパー上板が段ボール紙などの紙を原料にして多段積層して形成され、これを支持する上下部の鉄製支持板２０、４０及び正方形断面の柱部材３０は溶融亜鉛メッキ鋼（ｓｔｅｅｌ）を使うことが望ましいが、本考案はその材質に制限されるものではなく、腐食や錆の発生がないのならば、どの様な鋼を使用することも可能である。
【００１１】
また、図示した例は正方形断面の柱であるが、円形や他の多角形断面を有する柱でもよく、その形に制限されるのではない。また、上下部の鉄製支持板２０、４０及び正方形断面の柱部材３０は亜鉛メッキ鋼板をフォーミングマシンで波形に成形し、リベットなどのような結合手段によって結合したものである。
【００１２】
図示したように、本考案によるペーパー上板１０を具備した鉄製パレット１は、段ボール紙が多段積層されたペーパー上板１０と、
多数の第１の横部材（図面符号未附与）及び第１の縦部材（図面符号未附与）が行と列を構成し、ペーパー上板１０を下部で支持する上部鉄製支持板２０と、上部鉄製支持板２０の底面に接合される多数の四角形の鉄製柱部材３０と、多数の柱部材３０の底面に接合され、多数の第２の横部材（図面符号未附与）及び第２の縦部材（図面符号未附与）が行と列を構成する下部鉄製支持板４０とから成り立つ。  
【００１３】
ペーパー上板１０は第１の横部材及び第１の縦部材で構成される上部鉄製支持板２０上に接着剤で接着され、３段の積層構造すなわち、段ボール紙上板１１、ハニカム（Ｈｏｎｅｙ  ｃｏｍｂ）板１２及び段ボール紙下板１３が順に接着して積層される。本考案において、上板が３段の積層構造を提示しているが、３段以上またはそれ以下も可能であり、その積層構造に制限はない。    
【００１４】
ここで、段ボール紙上板１１及び下板１３には、両面段ボール紙に単面段ボール紙を付けた２重の両面段ボール紙（厚さがおおよそ５ｍｍ程度）を使うのが望ましいが、例えば、通常のＡ段ボール（Ａ  ｆｌｕｔｅ）＋Ｂ段ボール（Ｂ  ｆｌｕｔｅ）の組合、Ｂ段ボール＋Ｂ段ボールの組合、  または  Ｅ段ボール＋Ｂ段ボール組合の段ボール紙を使用しても良い。本考案において一番望ましい段ボール紙はＢ段ボール＋Ｂ段ボール組合せの２重の両面段ボール紙であるが、本考案では、その種類に制限はなく、両面段ボール紙や三重両面段ボール紙等も使うことができるものは勿論である。
【００１５】
また、段ボール紙上板１１と下板１３の間に形成されたハニカム板１２は、六角の蜂の巣模様（ｈｅｘａｇｏｎａｌ  ｈｏｎｅｙｃｏｍｂ）と類似する六角中空柱の有限連続構造体を有し、セルとコアで構成されている。ハニカム板は、通常のパネルに比べて数十倍以上の強度構造と１０倍位の曲げ強度を有している。ハニカム構造は広く知られた技術であるので、これ以上の詳細な説明は省く。
【００１６】
前記段ボール紙が多数積層された上板を具備する鉄製パレットは、ペーパー上板に運送荷物や電子製品またはその他製品を積載した後ロープまたはテープなどの結束手段によって結束し運搬または保管する。
【００１７】
本考案によるペーパー上板を持つ鉄製パレットによれば、鉄製パレットの上板のみを３段構造に積層した段ボール紙を利用することによって、パレットの上板の交換（リサイクル）が可能であるとともに製品重量が軽く、運搬が容易となる。
また、支持板として溶融亜鉛メッキ鋼板を成形したスチールを使うことによって、耐久性に優れるだけではなく、衛生的な環境管理が可能である。
さらに、製品の品質が均一であり、大量生産が可能で製作費用が安く、リサイクルが可能な效果がある。
【００１８】
以上で、本考案に関する好ましい実施例を説明したが、本考案は前記実施例に限定されず、本考案の属する技術範囲を逸脱しない範囲での全ての変更が含まれる。
【図面の簡単な説明】
【００１９】
【図１】本考案によるペーパー上板を持つ鉄製パレットの全体斜視図である。
【図２】本考案によるペーパー上板の分解斜視図である。。
【図３】本考案によるペーパー上板の結合図である。
【符号の説明】
【００２０】
１  本考案によるペーパー上板を持つ鉄製パレット
１０  ペーパー上板
１１  段ボール紙上板（ｕｐｐｅｒ  ｃｏｒｒｕｇａｔｅｄ  ｂｏａｒｄ）
１２  ハニカム（Ｈｏｎｅｙ  ｃｏｍｂ）板
１３  段ボール紙下板（ｌｏｗｅｒ  ｃｏｒｒｕｇａｔｅｄ  ｂｏａｒｄ）
２０  上部鉄製支持板
３０  柱部材（ｒｅｃｔａｎｇｕｌａｒ  ｃｏｌｕｍｎ  ｍｅｍｂｅｒ）
【図１】
0003116917.tif 000003
【図２】
0003116917.tif 000004
【図３】
0003116917.tif 000005